(57)【要約】【課題】フラットパネルディスプレイ部に設けられた金属板やディスプレイ装置の周囲に配置されている金属体の影響を受けることなく、より電波を遠くへ飛ばすことができる、複数のアンテナからなる無線ＬＡＮ用のアンテナ装置を備えたディスプレイ装置を提供する。【解決手段】ディスプレイ装置１は、直線状に延びる金属板１１が上面１０ａに設けられたフラットパネルディスプレイ部１０と、フラットディスプレイ部１０の上面１０ａに設置された無線ＬＡＮ用のアンテナ装置２０とを備えている。アンテナ装置２０は、同一直線上に並んで配置されるとともに金属板１１に平行に配置された複数のアンテナ２０Ａ，２０Ｂからなる。複数のアンテナ２０Ａ，２０Ｂは隣接するアンテナ２０Ａ，２０Ｂ間の所定距離Ｄが最小限となるように配置される。金属板１１の各アンテナ２０Ａ，２０Ｂに対応する位置に、複数の開口１２Ａ，１２Ｂが形成される。【選択図】図１
2012075031.tif 000002
【特許請求の範囲】
【請求項１】
直線状に延びる金属板が上面に設けられたフラットパネルディスプレイ部と、
該フラットディスプレイ部の前記上面に設置された無線ＬＡＮ用のアンテナ装置とを備え、
該アンテナ装置が、同一直線上に並んで配置されるとともに前記金属板に平行に配置された複数のアンテナからなり、該複数のアンテナは隣接するアンテナ間の所定距離が最小限となるように配置され、
前記金属板の各アンテナに対応する位置に、複数の開口を形成したことを特徴とするディスプレイ装置。
【請求項２】
前記複数のアンテナの各々は、平板状の接地板と、該接地板の縁部から立ち上がる平板状の放射エレメントとを備え、
該放射エレメントが前記金属板に形成された開口の方に向くように、前記複数のアンテナの各々が配置されることを特徴とする請求項１記載のディスプレイ装置。
【請求項３】
前記放射エレメントが前記金属板と同一直線上に配置されるように、前記複数のアンテナの各々が配置されることを特徴とする請求項２記載のディスプレイ装置。
【発明の詳細な説明】
【技術分野】
【０００１】
本発明は、複数のアンテナからなる無線ＬＡＮ用のアンテナ装置を備えたディスプレイ装置に関する。
【背景技術】
【０００２】
近年においては、ディスプレイ装置を有するフラット型テレビ、ＰＣ（Personal Computer）、ノートブックＰＣなどの機器において、無線ＬＡＮ（Local Area Network）を利用する要請がある。
ここで、無線ＬＡＮにおける通信速度を数倍にする高速化技術として、無線ＬＡＮ規格「ＩＥＥＥ  ８０２．１１ｎ」で採用されているＭＩＭＯ（Multiple Inpit Multiple Output）と呼ばれる技術がある。
このＭＩＭＯは、複数のアンテナを組み合わせてデータ送受信の帯域を広げる無線通信技術であり、複数のアンテナで同時に異なるデータを送信し、受信時に合成することで擬似的に広帯域を実現し、通信の高速化を図っている。
【０００３】
このＭＩＭＯを、前記したディスプレイ装置において使用するためには、例えば、ディスプレイ装置のフラットパネルディスプレイ部に複数のアンテナを設置する必要がある。このフラットパネルディスプレイ部は、略矩形平板状に形成され、例えば、その上下面及び両側面には、フラットパネルディスプレイ部の機械的強度を向上させるため金属板を設けるのが一般的である。
このＭＩＭＯ技術の適用の一例として、近接する周波数帯域を使用する２つの無線装置を搭載した通信機器において、２つの無線装置のアンテナ間アイソレーションを確保するアンテナ装置（例えば、図１１に示すもの）が知られている（特許文献１参照）。
【０００４】
図１１に示すアンテナ装置１０１は、第１のダイポールアンテナ１０２と第２のダイポールアンテナ１０３とを基板１０４の上端両側に配置している。
第１のダイポールアンテナ１０２は、給電点１０５を挟んで対称に配置された放射エレメント１０２ａ，１０２ｂで構成されている。そして、給電点１０５は、同軸ケーブル１０６を通して、基板３上に実装された無線回路（図示せず）に接続されている。同軸ケーブル１０６の外部導体は、基板３上に形成されたグランドパターン１０７に接続されている。
【０００５】
また、第２のダイポールアンテナ１０３は、給電点１０８を挟んで対称に配置された放射エレメント１０３ａ，１０３ｂで構成されている。そして、給電点１０８は、同軸ケーブル１０９を通して、基板３上に実装された無線回路（図示せず）に接続されている。同軸ケーブル１０９の外部導体は、基板１０４上に形成されたグランドパターン１０７に接続されている。
そして、第１のダイポールアンテナ１０２の放射エレメント１０２ａ，１０２ｂと第２のダイポールアンテナ１０３の放射エレメント１０３ａ，１０３ｂとは、ＸＺ面内において互いに直交する関係で配置されている。そして、第１のダイポールアンテナ１０２の放射エレメント１０２ａ，１０２ｂは、ＸＺ面内において、Ｚ軸方向からＸ軸方向へ０度よりも大きく９０度よりも小さい角度（図１１に示す例では４５度）で傾斜して配置されている。
【０００６】
そして、このアンテナ装置１０１によれば、放射エレメント１０２ａ，１０２ｂと放射エレメント１０３ａ，１０３ｂとは、ＸＺ面内において互いに直交する関係で配置されているため、２つのダイポールアンテナ１０２，１０３が放射する偏波も直交することになる。このため、２つのダイポールアンテナ１０２，１０３は近接して対向配置してあるが、それらの放射波による結合を低減でき、大きなアイソレーションを得ることができる。
【先行技術文献】
【特許文献】
【０００７】
【特許文献１】特開２０１０−４３１８号公報
【発明の概要】
【発明が解決しようとする課題】
【０００８】
ところで、図１１に示した従来のアンテナ装置１０１は、ディスプレイ装置において使用するために開発されたものではない。
従って、図１１に示した従来のアンテナ装置１０１を、例えば、上下面及び両側面に金属板を設けたフラットパネルディスプレイ部のいずれかの面に装着した場合には、放射エレメント１０２ａ，１０２ｂ及び放射エレメント１０３ａ，１０３ｂから放射された電波が金属板の影響を受けてしまうことがある。
本発明の目的は、フラットパネルディスプレイ部に設けられた金属板やディスプレイ装置の周囲に配置されている金属体の影響を受けることなく、より電波を遠くへ飛ばすことができる、複数のアンテナからなる無線ＬＡＮ用のアンテナ装置を備えたディスプレイ装置を提供することにある。
【課題を解決するための手段】
【０００９】
上記目的を達成するために、本発明のうち請求項１に係るディスプレイ装置は、直線状に延びる金属板が上面に設けられたフラットパネルディスプレイ部と、該フラットディスプレイ部の前記上面に設置された無線ＬＡＮ用のアンテナ装置とを備え、該アンテナ装置が、同一直線上に並んで配置されるとともに前記金属板に平行に配置された複数のアンテナからなり、該複数のアンテナは隣接するアンテナ間の所定距離が最小限となるように配置され、前記金属板の各アンテナに対応する位置に、複数の開口を形成したことを特徴としている。ここで、「所定距離」とは、隣接するアンテナの一方から所定電圧の高周波信号を入力し、それによって隣接するアンテナの他方から所定電圧の出力が得られた際に、出力側の所定電圧の、入力側の所定電圧に対する比率（電圧定在波比：ＶＳＷＲ）が−２０ｄＢ以下となる隣接するアンテナ間の距離をいう。
【００１０】
また、本発明のうち請求項２に係るディスプレイ装置は、請求項１記載のディスプレイ装置において、前記複数のアンテナの各々は、平板状の接地板と、該接地板の縁部から立ち上がる平板状の放射エレメントとを備え、該放射エレメントが前記金属板に形成された開口の方に向くように、前記複数のアンテナの各々が配置されることを特徴としている。
更に、本発明のうち請求項３に係るディスプレイ装置は、請求項２記載のディスプレイ装置において、前記放射エレメントが前記金属板と同一直線上に配置されるように、前記複数のアンテナの各々が配置されることを特徴としている。
【発明の効果】
【００１１】
本発明に係るディスプレイ装置によれば、フラットパネルディスプレイ部の上面に無線ＬＡＮ用のアンテナ装置を設置しているから、ディスプレイ装置の周囲に配置されている金属体の影響を受けることなく、より電波を遠くへ飛ばすことができる。フラットパネルディスプレイ部の下面に無線ＬＡＮ用のアンテナ装置を設置した場合、フラットパネルディスプレイ部を載せる台座部に金属体が用いられている場合、その金属体の影響を受けやすい。また、フラットパネルディスプレイ部の両側面に無線ＬＡＮ用のアンテナ装置を設置した場合には、ディスプレイ装置を、金属体が設けられている壁部の近傍に配置した場合にその金属体の影響を受けやすい。これに対し、フラットパネルディスプレイ部の上面に無線ＬＡＮ用のアンテナ装置を設置した場合、そのような問題はない。
【００１２】
また、アンテナ装置が、同一直線上に並んで配置されるとともに、フラットパネルディスプレイ部の上面に設けられた直線状に延びる金属板に平行に配置された複数のアンテナからなり、当該金属板の各アンテナに対応する位置に、複数の開口を形成した。このため、複数のアンテナの各々から放射された電波は、フラットパネルディスプレイ部の上面に設けられた金属板の各開口を通って放射される。これにより、フラットパネルディスプレイ部に設けられた金属板の影響を受けることなく、より電波を遠くへ飛ばすことができる。また、フラットパネルディスレイ部の上面には金属板が設けられているから、フラットパネルディスプレイ部の機械的強度を維持できる。
更に、複数のアンテナは隣接するアンテナ間が所定距離離れるように配置されているので、各アンテナから放射された電波による結合を低減でき、大きなアイソレーションを得ることができ、各アンテナの効率を下げることなく通信を行うことができる。
【図面の簡単な説明】
【００１３】
【図１】本発明に係るディスプレイ装置の平面図である。但し、図１においては、フラットパネルディスプレイ部の周囲に設けられるカバーは省略してある。また、金属板の上面にはその上面を容易に理解するために斜線を施してある。
【図２】図１に示すディスプレイ装置の正面図である。但し、図２においても、フラットパネルディスプレイ部の周囲に設けられるカバーは省略してある。
【図３】図１に示すディスプレイ装置の左側面図である。但し、図３においても、フラットパネルディスプレイ部の周囲に設けられるカバーは省略してある。
【図４】図１に示すディスプレイ装置に用いられるアンテナ装置を背面側斜め上方から見た斜視図である。
【図５】図４に示したアンテナ装置を示し、（Ａ）は平面図、（Ｂ）は正面図である。
【図６】図４に示したアンテナ装置を示し、（Ａ）は右側面図、（Ｂ）は左側面図、（Ｃ）は背面図である。
【図７】フラットパネルディスプレイ部の上面の両側に１対のアンテナを配置した試験用ディスプレイ装置を模式的に示す平面図である。
【図８】図７に示す試験用ディスプレイ装置において、ネットワークアナライザを用いて隣接するアンテナ間の高周波信号の通過特性を測定した結果を示すグラフである。
【図９】フラットパネルディスプレイ部の上面の両側に配置された１対のアンテナとディスプレイ装置の内部に設けられた無線ＬＡＮ用モジュールとの位置関係を模式的に示した説明図である。
【図１０】フラットパネルディスプレイ部の上面の両側に配置された１対のアンテナから放射される電波が金属板に形成された開口を通過する様子を示し、（Ａ）はアンテナが金属板の開口から離れてフラットパネルディスプレイ部の奥行き方向中心に配置されている場合の、アンテナから放射される電波が金属板に形成された開口を通過する様子を模式的に示す平面図、（Ｂ）はアンテナが金属板の開口から更に離れてフラットパネルディスプレイ部の奥行き方向後端縁に配置されている場合の、アンテナから放射される電波が金属板に形成された開口を通過する様子を模式的に示す平面図である。
【図１１】従来例のアンテナ装置の斜視図である。
【発明を実施するための形態】
【００１４】
以下、本発明の実施の形態を図面を参照して説明する。
図１乃至図３に示すディスプレイ装置１は、フラット型テレビに適用されるものであり、無線ＬＡＮ規格「ＩＥＥＥ  ８０２．１１ｎ」で採用されているＭＩＭＯ（Multiple Inpit Multiple Output）を使用可能となっている。
ここで、ディスプレイ装置１は、フラットパネルディスプレイ部１０と、無線ＬＡＮ用のアンテナ装置２０とを備えている。
【００１５】
フラットパネルディスプレイ部１０は、上面１０ａ、下面１０ｂ及び左右両側面１０ｃ、１０ｄを有する略矩形の奥行き方向（図１における上下方向）に板厚ｔの略平板状に形成されている。そして、フラットパネルディスプレイ部１０の上面１０ａの奥行き方向前端縁（図１における上端縁）には、直線状に延びる金属板１１が当該前端縁に沿って設けられている。金属板１１は、フラットパネルディプレイ部１０の上面１０ａから上方に突出する部分が矩形状平板で形成されている。金属板１１には、後述する各アンテナ２０Ａ，２０Ｂに対応する位置に、複数（本実施形態にあっては２つ）の開口１２Ａ，１２Ｂが形成されている。
【００１６】
また、アンテナ装置２０は、複数（本実施形態にあっては２つ）のアンテナ２０Ａ，２０Ｂからなる。複数のアンテナ２０Ａ，２０Ｂは、図１に示すように、同一直線上に並んで配置されるとともに金属板１１に平行に配置されている。また、複数のアンテナ２０Ａ，２０Ｂは隣接するアンテナ２０Ａ，２０Ｂ間が所定距離Ｄ離れるように配置されている。
【００１７】
この所定距離Ｄは、隣接するアンテナの一方から所定電圧の高周波信号を入力し、それによって隣接するアンテナの他方から所定電圧の出力が得られた際に、出力側の所定電圧の、入力側の所定電圧に対する比率（電圧定在波比：ＶＳＷＲ）が−２０ｄＢ以下となる隣接するアンテナ間の距離である。
この所定距離Ｄを検証するために、図７に示す試験用ディスプレイ装置において、ネットワークアナライザを用いて隣接するアンテナ間の高周波信号の通過特性を測定した。
【００１８】
具体的に説明すると、図７に示す試験用ディスプレイ装置５１は、フラットパネルディスプレイ部６０の上面６０ａに、無線ＬＡＮ用のアンテナ装置７０を備えている。フラットパネルディスプレイ部６０の上面６０ａの奥行き方向前端縁（図７における上端縁）には、直線状に延びる金属板６１が当該前端縁に沿って設けられている。アンテナ装置７０は、金属板６１と平行に一直線上に並んだ１対のアンテナ７０Ａ，７０Ｂからなる。１対のアンテナ７０Ａ,７０Ｂ間は所定距離Ｄに設定され、その大きさは約１２０ｍｍとなっている。金属板６１の各アンテナ７０Ａ,７０Ｂに対応する位置には開口６２Ａ,６２Ｂが形成されている。１対のアンテナ７０Ａ，７０Ｂは、金属板６１から離れてフラットパネルディスプレイ部６０の上面６０ａの奥行き方向中央に配置されている。
【００１９】
この図７に示す試験用ディスプレイ装置５１において、ネットワークアナライザ（図示せず）を用い、１対のアンテナ７０Ａ，７０Ｂの一方から所定電圧の高周波信号（約２．００ＧＨｚ〜６．００ＧＨｚに至るまで）を入力する。その際に、隣接するアンテナ７０Ａ，７０Ｂの他方から所定電圧の出力が得られるが、その出力側の所定電圧の、入力側の所定電圧に対する比率（電圧定在波比：ＶＳＷＲ）を測定した。その結果を図８に示す。
【００２０】
図８に示すように、１対のアンテナ７０Ａ，７０Ｂ間の所定距離Ｄが約１２０ｍｍの場合には、無線ＬＡＮに使用される２．４ＧＨｚ帯及び５ＧＨｚ帯のいずれの高周波信号においても、出力側の所定電圧の、入力側の所定電圧に対する比率（電圧定在波比：ＶＳＷＲ）が要求仕様である−２０ｄＢ以下であることがわかる。１対のアンテナ７０Ａ，７０Ｂ間の所定距離Ｄを１２０ｍｍよりも大きくしていくと、電圧定在波比：ＶＳＷＲはその距離に応じて下がっていく。本発明では、所定距離Ｄが最小限となるようにアンテナ７０Ａ，７０Ｂが配置される。
【００２１】
次に、無線ＬＡＮ用のアンテナ装置２０を構成する複数のアンテナ２０Ａ，２０Ｂはともに同一の構成を有するので、アンテナ２０Ａの構成のみについて説明する。
アンテナ２０Ａは、いわゆる逆Ｆ型アンテナと呼ばれるもので、図４乃至図６に示すように、矩形平板状の接地板２１と、この接地板２１の一側縁から立ち上がる平板状の放射エレメント２２とを備えている。アンテナ２０Ａは、金属板を打抜き及び曲げ加工することによって形成される。そして、図５（Ｂ）によく示すように、同軸ケーブル３０の芯線３０ａが放射エレメント２２に半田接続され、編租線３０ｂが接地板２１に半田接続されている。同軸ケーブル３０は、図９に示すように、ＭＩＭＯ送受信の制御を行う無線ＬＡＮ用モジュール４０に接続されている。
【００２２】
ここで、複数のアンテナ２０Ａ,２０Ｂは、図１に示すように、放射エレメント２２が金属板１１に形成された開口１２Ａ，１２Ｂの方に向き、かつ、放射エレメント２２が金属板１１と同一直線上に配置されるように、フラットパネルディスプレイ部１０の上面１０ａ上に配置される。即ち、複数のアンテナ２０Ａ,２０Ｂは、それぞれの放射エレメント２２が、金属板１１の開口１２Ａ，１２Ｂ内に位置し、かつ、フラットパネルディスプレイ部１０の上面１０ａの奥行き方向前端縁に沿うように配置される。
【００２３】
本実施形態において、図１に示す各開口１２Ａ，１２Ｂの幅Ｌは約６５ｍｍ、各アンテナ２０Ａ,２０Ｂの幅Ｗは約２５ｍｍでアンテナ２０Ａ,２０Ｂの両側の間隔が約２０ｍｍで設定されている。各開口１２Ａ，１２Ｂの幅Ｌは、図１に示すように、各アンテナアンテナ２０Ａ,２０Ｂの放射エレメント２２が金属板１１と同一直線上に配置されている場合には、各アンテナ２０Ａ,２０Ｂの幅Ｗが約２５ｍｍのときには約６５ｍｍあればよい。
そして、無線ＬＡＮ用のアンテナ装置２０を備えたフラットパネルディスプレイ部１０の周囲は、カバー部材（図示せず）に覆われる。
【００２４】
このような構成を有するディスプレイ装置１において、ＭＩＭＯの送信を行う際には、２．４ＧＨｚ帯又は５ＧＨｚ帯のいずれかの高周波の電波が双方のアンテナ２０Ａ,２０Ｂから放射される。具体的には、２．４ＧＨｚ帯又は５ＧＨｚ帯のいずれかの高周波の電波が双方のアンテナ２０Ａ,２０Ｂの放射エレメント２２からディスプレイ装置の前方側（図１における上方側）に位置するアクセスポイント（図示せず）に向けて放射角α（図１０（Ａ），（Ｂ）参照）で放射される。また、ＭＩＭＯの受信を行う際には、アクセスポイントから放射された２．４ＧＨｚ帯又は５ＧＨｚ帯のいずれかの高周波の電波が双方のアンテナ２０Ａ,２０Ｂに受信される。
【００２５】
この際、フラットパネルディスプレイ部１０の上面１０Ａに無線ＬＡＮ用のアンテナ装置２０を設置しているから、ディスプレイ装置１の周囲に配置されている金属体の影響を受けることなく、より電波を遠くへ飛ばすことができる。フラットパネルディスプレイ部１０の下面１０ｂに無線ＬＡＮ用のアンテナ装置２０を設置した場合、フラットパネルディスプレイ部１０を載せる台座部（図示せず）に金属体が用いられている場合、その金属体の影響を受けやすい。また、フラットパネルディスプレイ部１０の両側面１０ｃ，１０ｄに無線ＬＡＮ用のアンテナ装置２０を設置した場合には、ディスプレイ装置１を、金属体が設けられている壁部の近傍に配置した場合にその金属体の影響を受けやすい。フラットパネルディスプレイ部１０の上面１０ａに無線ＬＡＮ用のアンテナ装置２０を設置した場合、そのような問題はない。
【００２６】
また、アンテナ装置２０が、同一直線上に並んで配置されるとともに、フラットパネルディスプレイ部１０の上面１０ａに設けられた直線状に延びる金属板に平行に配置された複数のアンテナ２０Ａ，２０Ｂからなる。そして、当該金属板１１の各アンテナ２０Ａ，２０Ｂに対応する位置に、複数の開口１２Ａ，１２Ｂを形成した。このため、複数のアンテナ２０Ａ，２０Ｂの各々から放射された電波は、フラットパネルディスプレイ部１０に設けられた金属板１１の各開口１２Ａ，１２Ｂを通って放射される。これにより、フラットパネルディスプレイ部１０に設けられた金属板１１の影響を受けることなく、より電波を遠くへ飛ばすことができる。また、フラットパネルディスプレイ部１０の上面１０ａに金属板１１が設けられているから、フラットパネルディスプレイ部１０の機械的強度を維持できる。
【００２７】
更に、複数のアンテナ２０Ａ,２０Ｂは、図１に示すように、放射エレメント２２が金属板１１に形成された開口１２Ａ，１２Ｂの方に向くように、フラットパネルディスプレイ部１０の上面１０ａに配置される。このため、電波が双方のアンテナ２０Ａ,２０Ｂの放射エレメント２２、２２から開口１２Ａ，１２Ｂを通って円滑にアクセスポイントに向けて放射される。
【００２８】
また、複数のアンテナ２０Ａ,２０Ｂは、図１に示すように、放射エレメント２２が金属板１１と同一直線上に配置されるように、フラットパネルディスプレイ部１０の上面１０ａ上に配置される。即ち、複数のアンテナ２０Ａ,２０Ｂは、それぞれの放射エレメント２２が、金属板１１の開口１２Ａ，１２Ｂ内に位置し、かつ、フラットパネルディスプレイ部１０の上面１０ａの奥行き方向前端縁に沿うように配置される。このため、電波が双方のアンテナ２０Ａ,２０Ｂの放射エレメント２２、２２から放射される際に、電波の放射角αの大小にかかわらず、電波が金属板１１に妨害されずに開口１２Ａ，１２Ｂから電波が放射され、金属板１１の影響をきわめて小さくすることができる。
【００２９】
また、複数のアンテナ２０Ａ，２０Ｂは隣接するアンテナ２０Ａ，２０Ｂ間が所定距離Ｄ離れるように配置されているので、各アンテナ２０Ａ，２０Ｂから放射された電波による結合を低減でき、大きなアイソレーションを得ることができ、各アンテナ２０Ａ，２０Ｂの効率を下げることなく通信を行うことができる。
なお、図９に示すように、２つのアンテナ２０Ａ,２０Ｂは、ディスプレイ装置１の内部に設置されている無線ＬＡＮ用モジュール４０に対して、それぞれ同軸ケーブル３０を介して接続されている。このように、２つのアンテナ２０Ａ,２０Ｂを同軸ケーブル３０を介して無線ＬＡＮ用モジュール４０に接続することで、アンテナ２０Ａ，２０Ｂを無線ＬＡＮ用モジュール４０から遠ざけることができ、無線ＬＡＮ用モジュール４０からのノイズの影響を少なくすることができる。
【００３０】
以上、本発明の実施形態について説明してきたが、本発明はこれに限定されずに種々の変更、改良を行うことができる。
例えば、ディスプレイ装置１の適用される分野は、フラット型テレビのみならず、ＰＣ（Personal Computer）やノートブックＰＣなどのディスプレイ装置を有するものであればよい。
また、複数のアンテナ２０Ａ,２０Ｂは、放射エレメント２２が金属板１１と同一直線上に配置される場合に限らず、金属板１１の直線上から外れるように配置されてもよい。例えば、図１０（Ａ）に示すように、複数のアンテナ２０Ａ,２０Ｂが金属板１１の開口１２Ａ，１２Ｂから離れてフラットパネルディスプレイ部１０の奥行き方向中心に配置されていたり、図１０（Ｂ）に示すように、複数のアンテナ２０Ａ,２０Ｂが金属板１１の開口１２Ａ，１２Ｂから更に離れてフラットパネルディスプレイ部の奥行き方向後端縁に配置されていてもよい。
【００３１】
図１０（Ａ）に示す場合及び図１０（Ｂ）に示す場合のいずれの場合にあっても、各アンテナ１２Ａ,１２Ｂから放射される電波が金属板１１に干渉しないように、開口１２Ａ，１２Ｂの幅を設定することが好ましい。
また、本実施形態では、アンテナ装置２０は、２つのアンテナ２０Ａ,２０Ｂで構成される場合を説明してあるが、この場合に限らず３つ以上のアンテナで構成されてもよい。また、金属板１１に形成される開口は、各アンテナに対応する位置に形成されるものであり、アンテナ装置２０が３つ以上のアンテナで構成される場合には、アンテナの数に対応し、３つ以上で構成される。
また、各アンテナ２０Ａ,２０Ｂは、無線ＬＡＮ用に使用できるものであれば、逆Ｆ型アンテナに限られない。
さらに、本明細書では、アンテナ間の所定距離をＶＳＷＲが−２０ｄＢ以下となる距離としたが、これ以外の値、例えば、−１０ｄＢ以下等であってもよい。
【符号の説明】
【００３２】
１  ディスプレイ装置
１０  フラットパネルディスプレイ部
１０ａ  上面
１１  金属板
１２Ａ，１２Ｂ  開口
２０  アンテナ装置
２０Ａ，２０Ｂ  アンテナ
２１  接地板
２２  放射エレメント
【図１】
2012075031.tif 000003
【図２】
2012075031.tif 000004
【図３】
2012075031.tif 000005
【図４】
2012075031.tif 000006
【図５】
2012075031.tif 000007
【図６】
2012075031.tif 000008
【図７】
2012075031.tif 000009
【図８】
2012075031.tif 000010
【図９】
2012075031.tif 000011
【図１０】
2012075031.tif 000012
【図１１】
2012075031.tif 000013